(57)【要約】【課題】容易に精度良くその取付軸にガイドローラを取付けることを可能とする乗客コンベアのハンドレールガイドローラの交換装置を提供する。【解決手段】本発明の乗客コンベアハンドレールガイドローラの交換装置によれば、装置用軸部９とローラ取付軸５の軸芯を合せた状態で、装置用軸部９を当接片２側に螺進することにより、当接片２がブラケット８との間で反力を受けることから、ガイドローラ１０をローラ取付軸９に外嵌させることができ、芯ずれすること無く容易に精度良くガイドローラ１０の取付作業を行うことができる。【選択図】　　　　図３
2004059210.tif 000002
【特許請求の範囲】
【請求項１】
無端状に連結され乗降口間を走行するステップと同期走行するハンドレールの走行をガイドするよう設けられ、その一端がブラケットに固定されたローラ取付軸の他端側から、該軸に軸受を介して回動自在に外嵌される乗客コンベアハンドレールガイドローラの交換装置において、
前記ブラケットの反ガイドローラ側面に当接する当接片と、この当接片と対向するよう配設され前記対向方向に雌螺子穴が設けられる支持片と、前記当接片及び支持片とを連結する連結片と、その外周に雄螺子部が形成され前記雌螺子穴に対して螺進退可能に螺合する装置用軸部と、この軸部の前記当接片側端部に設けられ前記ガイドローラを把持するよう前記軸と略同一芯を有して形成されたローラ把持部とを備えて構成したことを特徴とする乗客コンベアハンドレールガイドローラの交換装置。
【請求項２】
請求項１の記載において、前記ローラ把持部は把持部用軸受を介して回動自在に前記装置用軸部に設けたことを特徴とする乗客コンベアハンドレールガイドローラの交換装置。
【請求項３】
請求項１もしくは請求項２の記載において、前記ローラ把持部を前記装置用軸部に対して着脱自在に設けるとともに、前記ローラ把持部の取外し時には、前記当接片を前記ローラの前記ブラケット側面に当接させ、前記装置用軸部を螺進させてその当接片側端部により前記ローラ取付軸を押圧し、前記ローラを前記ローラ取付軸の他端側から取外すよう構成したことを特徴とする乗客コンベアハンドレールガイドローラの交換装置。
【発明の詳細な説明】
【０００１】
【発明の属する技術分野】
本発明は、乗客コンベアハンドレールガイドローラの交換装置に関する。
【０００２】
【従来の技術】
一般的にエスカレータや動く歩道などを含む乗客コンベアには、無端状に連結され乗降口間で乗客を乗せて走行するステップと同期して走行するハンドレールが設けられており、このハンドレールは、その戻り側（乗客が把持しない側）において、ガイドローラにガイドされて走行している。
【０００３】
そしてこのガイドローラは、その一端がブラケットに固定されたローラ取付軸の他端側から、該軸に軸受を介して回動自在に外嵌されて構成されている。
【０００４】
ところでこのガイドローラは、ハンドレールとの間において回動を続けることにより経年劣化することから定期的に交換する必要があった。
【０００５】
従来における前記交換を行うための装置の一例としては、実開平６−８３６７９号公報に開示されたものが挙げられる。この従来技術には、押しボルトによりローラ取付軸を押圧するとともに、背面からガイドローラを手前に引き抜き、ガイドローラをその取付軸から取外す装置が開示されている。
【０００６】
【発明が解決しようとする課題】
しかし前記従来技術では、ガイドローラの取外しについてのみ考慮された構成となっており、取付時における考慮はなされておらず、取付に用いることはできなかった。
【０００７】
従って、ガイドローラの取付時には、ハンマー等を使用して、取付軸に叩き入れるようにしていたことから、軸とローラとの間に芯ずれが生じるとローラの内周に設けられた軸受もしくは軸が損壊してしまうという問題があった。
【０００８】
本発明は、上記問題点に鑑みてなされたものであり、その主目的は、容易に精度良くその取付軸にガイドローラを取付けることを可能とする乗客コンベアハンドレールガイドローラの交換装置を提供するにある。
【０００９】
さらに本発明の第２の目的は、上記主目的に加えて、その取付軸からガイドローラを容易に取外すことを可能とする乗客コンベアハンドレールガイドローラの交換装置を提供するにある。
【００１０】
【課題を解決するための手段】
本発明は、上記主目的を達成するために、無端状に連結され乗降口間を走行するステップと同期走行するハンドレールの走行をガイドするよう設けられ、その一端がブラケットに固定されたローラ取付軸の他端側から、該軸に軸受を介して回動自在に外嵌される乗客コンベアハンドレールガイドローラの交換装置において、前記ブラケットの反ガイドローラ側面に当接する当接片と、この当接片と対向するよう配設され前記対向方向に雌螺子穴が設けられる支持片と、前記当接片及び支持片とを連結する連結片と、その外周に雄螺子部が形成され前記雌螺子穴に対して螺進退可能に螺合する装置用軸部と、この軸部の前記当接片側端部に設けられ前記ガイドローラを把持するよう前記軸と略同一芯を有して形成されたローラ把持部とを備えて構成したことを特徴とする。
【００１１】
本発明のハンドレールガイドローラの交換装置によれば上記のように構成したため、装置用軸部とローラ取付軸の軸芯を合せた状態で、前記装置用軸部を当接片側に螺進することにより、当接片がブラケットとの間で反力を受けることから、ガイドローラをローラ取付軸に外嵌させることができ、容易に芯ずれすること無くガイドローラの取付作業を行うことができる。
【００１２】
さらに本発明は上記第２の目的を達成するために、上記構成に加えて、前記ローラ把持部を前記装置用軸部に対して着脱自在に設けるとともに、前記ローラ把持部の取外し時には、前記当接片を前記ローラの前記ブラケット側面に当接させ、前記装置用軸部を螺進させてその当接片側端部により前記ローラ取付軸を押圧し、前記ローラを前記ローラ取付軸の他端側から取外すよう構成したことを特徴とする。
【００１３】
本発明によれば、上記のようにローラ把持部を取外せば、装置用軸部を螺進させてその当接片側端部によりローラ取付軸を押圧し、当接片とローラのブラケット側面との間で反力を受けてローラをローラ取付軸の他端側から取外すことができ、本装置一つにてガイドローラの取付け取外し作業の両者を容易に行うことができる。
【００１４】
【発明の実施の形態】
以下、本発明である乗客コンベアハンドレールガイドローラの交換装置の一実施の形態を図１〜図３に基づいて説明する。ここで、図１は本発明の一実施形態である乗客コンベアハンドレールガイドローラの交換装置の全体構成を示す斜視図、図２及び図３は本発明の一実施形態である乗客コンベアハンドレールガイドローラの交換装置の使用方法を示す側面図である。
【００１５】
まず、ガイドローラの取付作業に用いる交換装置１の構成を図１及び図３を用いて説明する。
【００１６】
図に示すように、本発明の乗客コンベアハンドレールガイドローラの交換装置１は、ローラ取付軸９の一端側を固定するブラケット８の反ガイドローラ１０側面に当接する当接片２と、この当接片２と対向するよう配設され前記対向方向に雌螺子穴３ａが設けられる支持片３と、当接片２及び支持片３とを連結する連結片４と、その外周に雄螺子部が形成され雌螺子穴３ａに対して螺進退可能に螺合する装置用軸部５と、この軸部５の当接片２側端部に設けられガイドローラ１０をその爪部６ａにて把持するよう装置用軸部５と略同一芯を有して形成されたローラ把持部６とを備えて構成されている。
【００１７】
なお、ガイドローラ１０は、乗客を載置して走行するステップ（図示していない）と同期走行するハンドレール（図示していない）の走行をガイドするよう設けられており、ローラ取付軸９の他端側から、該軸９に軸受（図示していない）を介して回動自在に外嵌されるものである。
【００１８】
また当接片２には、切欠き部２ａが設けられており、ローラ取付軸９との接触を回避しつつブラケット８に当接し反力を持たせることが可能に構成されている。そして装置用軸部５の支持片３側端部には操作ハンドル５ａが設けられており、装置用軸部５の螺進退操作を容易なものとしている。
【００１９】
さらに、ローラ把持部６にはナット７が固定（溶接）されており、このナット７に対し装置用軸部５を螺進させることによりローラ把持部６を装置用軸部５に取付け、このナット７に対し装置用軸部５を螺退させることによりローラ把持部６を装置用軸部５から取外すよう着脱自在に構成されている。
【００２０】
さらにまた、ナット７とローラ把持部６との間には、把持部用軸受１１（転がり軸受）を介設しており、装置用軸部５を回動させてもローラ把持部６は回動しないことから、ローラ把持部６の回動に伴う連結片４との干渉を避けるために、ローラ把持部６と連結片４との間隔を離間する必要はなく、前記間隔を最小限にでき、装置１全体のコンパクト化を図ることができる。
【００２１】
次に、本発明の交換装置を用いたハンドレールガイドローラの取付作業について説明する。
【００２２】
まず、図３に示すようにローラ把持部６の爪部６ａに交換する新ガイドローラ１０を把持した状態で、当接片２をブラケット８の反ガイドローラ１０側面に当接させ、ローラ取付軸９と装置用軸部５とが同一軸芯上に位置するように調整後、装置用軸部５を当接片２側（図３における右側）に螺進させる。これにより当接片２がブラケット８との間で反力を受けることから、ガイドローラ１０をローラ取付軸９に外嵌させることができ、容易に芯ずれすること無くガイドローラ１０の取付作業を行うことができる。
【００２３】
次に、本発明の交換装置を用いたハンドレールガイドローラの取外し作業について説明する。
【００２４】
まず、図２に示すように、ローラ把持部６を装置用軸部５から取外して、当接片２を取外すガイドローラ１０のブラケット８側面に当接させ、ローラ取付軸９と装置用軸部５とが同一軸芯上に位置するように調整後、ハンドル５ａを操作して装置用軸部５を螺進（図中右側）させてその当接片２側端部によりローラ取付軸９を押圧する。これにより当接片２とガイドローラ１０のブラケット側面との間で反力を受けることから、ガイドローラ１０をローラ取付軸９の他端側（図中左側）から取外すことができる。
【００２５】
またこの取外しの際にも、上述した取付時と同様、当接片２の切欠き部２ａにより、ローラ取付軸９との接触を回避しつつガイドローラ１０のブラケット８側面に当接し、反力を持たせることが可能である。
【００２６】
本発明の交換装置によれば以上のように、ローラ把持部６を着脱自在に構成したことから、その装着時にはガイドローラ１０の取付作業、その取外し時にはガイドローラ１０の取外し作業を行うことができ、本装置一台にてガイドローラ１０の脱着、交換作業を容易に精度良く行うことが可能である。
【００２７】
【発明の効果】
本発明は、以上のように乗客コンベアハンドレールガイドローラの交換装置を構成したため、容易に精度良くその取付軸にガイドローラを取付けることができる。さらに加えて、同装置にてその取付軸からガイドローラを容易に精度良く取外すこともできる。
【図面の簡単な説明】
【図１】本発明の一実施形態である乗客コンベアハンドレールガイドローラの交換装置の全体構成を示す斜視図である。
【図２】本発明の一実施形態である乗客コンベアハンドレールガイドローラの交換装置の使用方法を示す側面図である。
【図３】本発明の一実施形態である乗客コンベアハンドレールガイドローラの交換装置の使用方法を示す側面図である。
【符号の説明】
１　乗客コンベアハンドレールガイドローラの交換装置
２　当接片
２ａ　切欠き部
３　支持片
３ａ　雌螺子穴
４　連結片
５　装置用軸部
５ａ　操作ハンドル
６　ローラ把持部
６ａ　爪部
７　ナット
８　ブラケット
９　ローラ取付軸
１０　ガイドローラ
１１　把持部用軸受
【図１】
2004059210.tif 000003
【図２】
2004059210.tif 000004
【図３】
2004059210.tif 000005